Podtech/llm-jp-corpus-v4-ja_patent huggingface dataset:
(57)【要約】【課題】未使用状態では袋口緊縛用の紐の端部が袋側縁から突出せず、収納や搬送に便利な袋を提供すること。【解決手段】袋本体１の表面に袋幅よりも長い袋口緊縛用の紐２を袋口３に沿って装着し、紐２の両端部を袋本体１から突出しないように折り曲げて袋本体１の表面に重ねてある。紐２の端部を袋本体１の表面に弱接着性の接着剤を介して仮止めしても良い。【選択図】図１
0003126100.tif 000002
【実用新案登録請求の範囲】
【請求項１】
袋本体の表面に袋幅よりも長い袋口緊縛用の紐を袋口に沿って装着し、前記紐の両端部を前記袋本体から突出しないように折り曲げて前記袋本体の表面に重ねてあることを特徴とした袋。
【請求項２】
前記紐の端部を前記袋本体の表面に弱接着性の接着剤を介して仮止めしてある請求項１に記載の袋。
【考案の詳細な説明】
【技術分野】
【０００１】
本考案は、袋口緊縛用の紐を装着した袋に関する。
【背景技術】
【０００２】
従来、袋表面に袋幅よりも長い紐を袋口に沿って貼り付け、袋内に内容物を収納した後で袋口を巻いて閉じ、この紐の両端部を結束して封鎖するようにした袋が知られている（特許文献１、特許文献２参照）。
しかし、このような袋は、使用しない状態では紐の両端部が袋側縁から突出しているので、積み重ねて収納或いは搬送する際に、飛び出した紐の端部が無用なスペースを必要とするばかりか、物に引っかかるなどして非常に邪魔になる。
【０００３】
【特許文献１】実開昭５１−１２９６１１号公報
【特許文献２】実開昭５４−３９２１５号公報
【考案の開示】
【考案が解決しようとする課題】
【０００４】
本考案が解決しようとする課題は、未使用状態では袋口緊縛用の紐の端部が袋本体から突出せず、収納や搬送に便利な袋を提供することにある。
【課題を解決するための手段】
【０００５】
本考案の袋は、袋本体の表面に袋幅よりも長い袋口緊縛用の紐を袋口に沿って装着し、前記紐の両端部を前記袋本体から突出しないように折り曲げて前記袋本体の表面に重ねてある。
前記紐の端部を前記袋本体の表面に弱接着性の接着剤を介して仮止めしても良い。
【考案の効果】
【０００６】
請求項１に係る考案によれば、未使用状態では紐の端部が袋本体から突出しないので、狭いスペースに整然と収納できると共に、移送時に突出した紐の端部が物品等に引っかかることも無く、収納・移送に便利である。
請求項２に係る考案によれば、折り曲げて袋本体に重ねた紐の端部がばたつくのを防ぐことができる。
【考案を実施するための最良の形態】
【０００７】
以下、本考案の実施例を図面に基づいて詳細に説明する。
本考案の袋は、図１に示すように、袋本体１と、袋口緊縛用の紐２とを備える。
袋本体１は、クラフト紙、ラミネート紙、合成樹脂シート等を素材とし、本実施例では襞付き角底袋とされ、その上端縁が開口して袋口３となっている。
【０００８】
紐２は、紙、合成樹脂等より成り、袋本体１の幅よりも長く形成されている。また、紐２は、袋本体１の片側の表面に袋口３に沿って接着されている。
紐２は袋幅よりも長いので、その両端部は袋本体１の側縁から突出するが、この突出した部分を直角に下方へ折り曲げて袋本体１の表面に重ね、紐２が袋本体１から突出しないようにしてある。
さらに、紐２の両端は、弱接着性の接着剤によって袋本体１の表面に仮止めし、ばたつかないようにしてある。
【０００９】
本考案の袋を使用する場合は、図２に示すように、紐２の両端の仮止め部分４を剥がして広げ、紐２の両端部を袋本体１から突出させる。
そして、袋本体１内に内容物を充填した後、図３に示すように、袋口３を紐２と共に複数回巻き込んで閉じ、次いで、図４に示すように、紐２の両端部を結束して閉鎖する。
なお、袋本体１の形状は図示のものに限定されず、底部をミシン縫いした袋や、襞の無い袋とすることもできる。
【図面の簡単な説明】
【００１０】
【図１】本考案の実施例を示す袋の未使用状態における平面図。
【図２】本考案の実施例を示す袋の紐を広げた状態における平面図。
【図３】本考案の実施例を示す袋の封鎖途中における斜視図。
【図４】本考案の実施例を示す袋の封鎖状態における斜視図。
【符号の説明】
【００１１】
１  袋本体
２  紐
３  袋口
４  仮止め部分
【図１】
0003126100.tif 000003
【図２】
0003126100.tif 000004
【図３】
0003126100.tif 000005
【図４】
0003126100.tif 000006
(57)【要約】【課題】本考案は少ない容積の巾着袋に容積の大きい衣類を収納し、コンパクトに持ち運び、また収納を可能にします。【解決手段】本考案は容積の少ない巾着袋本体１，２に上下の開閉口をもうけ、上部開閉口にはヒモ３を通し下部開閉口にはゴム４を通す事で容積の大きな収納物を引き入れられます。コンパクトに持ち運びができ収納スペースが狭くても収納可能になります。【選択図】図２
0003126011.tif 000002
【実用新案登録請求の範囲】
【請求項１】
ハワイアンダンス用のスカートを中心とするボリュームの有る衣類をコンパクトに収納する為ゴムの入った開口を底に作り手を入れ袋の中に衣類を引き入れられ上部袋口には紐を通し巾着袋にする事で外への持ち運びにも便利であると共にメッシュ素材を使用する事で軽量で通気性の良い利点の多い巾着袋
【考案の詳細な説明】
【技術分野】
【０００１】  本考案は、がさばる衣類をコンパクトに収納する為、開口に工夫を設けた袋に関するものである。
【背景技術】
【０００２】ハワイアンダンスの練習に使用するスカートは大変がさばる為風呂敷などで包み持ち運んでいました
【考案の開示】
【考案が解決しようとする課題】
【０００３】パウスカートはボリュームが有りとてもがさばります。風呂敷で包み持ち運ぶと折りシワがつきますし小さめの袋にはボリュームが有りすぎて入っていきません。
部屋での収納スペースも必要とします。これらの欠点を解決しようとするものです。
【課題を解決するための手段】
【０００４】細長い筒型の巾着袋の底から手が入れられる事で細身の袋にスマート収納できます。
【考案の効果】
【０００５】本考案は容積を取らずに持ち運んだり部屋での収納を可能にしたものです。
【考案を実施するための最良の形態】
【０００６】巾着袋本体の底の部分にも開閉口を作り、ゴムを通す事で普段は閉じた状態で収納時に手を入れる事で開き、収納物を引き入れられ上部開閉口はヒモを通し絞る形態にします。
【実施例】
【０００７】  以下、添付図面に従って一実施例を説明します。１は袋本体上部でメッシュ生地を使い通気性良くし２は袋本体下部で１とは別色のメッシュ生地又はプリントや無地の織物を使用する事でデザイン性を高めます。３は袋本体上部口を絞って開閉させる為のヒモで、４は袋本体下部口を絞って収納物を入れる時に自由に手が入いるように通したゴムです。
【産業上の利用可能性】
【０００８】  ハワイアンダンス（フラ）を趣味とする方々は日本全国で約３万人います。
個人差はありますが所持しているパウスカート（フラのボリュームスカート）は１人１枚以上です。需要が有る考案物と思います。
【図面の簡単な説明】
【０００９】
【図１】本考案の巾着袋の一実施例を示す正面図である。
【図２】本巾着袋の使用図である。
【符号の説明】
【００１０】１袋本体上部
２袋本体下部
３ヒモ
４ゴム
【図１】
0003126011.tif 000003
【図２】
0003126011.tif 000004
(57)【要約】      （修正有）【課題】蛇口のレバーハンドルのはし側に、球体の付いた棒を設けることで従来の蛇口に付いたレバーハンドルの不便をなくす。【解決手段】レバーハンドルに、球体の付いた棒を設けることによって、身体や目が不自由な人でも、容易に操作できる。また、球体の付いた棒に、バンドを設けることによって、現在使用しているレバーハンドルにも取付けて使用することができる。【選択図】図１
0003126014.tif 000002
【実用新案登録請求の範囲】
【請求項１】
球体の付いた棒をレバーハンドルのはしに付けた蛇口
【考案の詳細な説明】
【技術分野】
【０００１】  本考案は、レバーハンドルのはしに、球体の付いた棒を設けた、水道蛇口のレバーハンドルに関するものである。
【背景技術】
【０００２】  台所に付いている水道の蛇口には円形状の物か、レバーハンドルであるが、流し台と、レバーハンドルとの高低差があり、
0003126014.tif 000003
った。
【考案の開示】
【考案が解決しようとする課題】
【０００３】  これはつぎのような問題点があった。
台所と水道蛇口レバーハンドルとの高低差があり、身体の不自
0003126014.tif 000004
が容易でなく、また、洗済いの付いたままの手でレバーハンド
0003126014.tif 000005
布当て拭かなければならず手間がかかっていた。
【課題を解決するための手段】
【０００４】  上述の様に、本考案は、水道の蛇口に付いているレバーハンドルのはし側に、球体の付いた棒を設けた、以上の構成よりなる、球体棒を付けたレバーハンドルの付いた蛇口である。
【考案の効果】
【０００５】  本考案の、水道蛇口のレバーハンドルに、球体の付いた棒を設けることにより、従来のレバーハンドルよりも、洗物中に、手
0003126014.tif 000006
るものである。
【考案を実施するための最良の形態】
【０００６】  以下、本考案の実施例について説明する
レバーハンドル（１）のはし側に、球体（３）の付いた棒（２）を設ける。本考案は、以上のような構成でなり、使用するときは、球体の
0003126014.tif 000007
ることもなく、目を閉じた状態でも容易できるものである、又、現在使用している水道蛇口のレバーハンドルには、バンドに球体の付いた棒を設けて、レバーハンドルに取付けて補助具としても使用できるものである。
【図面の簡単な説明】
【０００７】
【図１】本考案の斜視図である。
【図２】図１のレバーハンドルと棒の接合部の正面図の断面図である。
【符号の説明】
【０００８】１  レバーハンドル
２  アクリル棒
３  アクリル球体
【図１】
0003126014.tif 000008
【図２】
0003126014.tif 000009
(57)【要約】【課題】本考案は、Ｖベルト（Ａ）の外表面に、前面に傾斜切り刃（１）を有する金属刈刃（Ｂ）を、任意等間隔に、複数個固定したＶベルト草刈刃を提供する。【解決手段】Ｖベルト（Ａ）の外表面に、当該Ｖベルト（Ａ）の回動方向に向ける前面を傾斜を付した傾斜切り刃（１）とし頂面を後方に傾斜せしめた傾斜面（２）とした金属刈刃（Ｂ）を、任意等間隔に複数個固定したことを特徴とする。【選択図】図１
0003126013.tif 000002
【実用新案登録請求の範囲】
【請求項１】
Ｖベルト（Ａ）の外表面に、当該Ｖベルト（Ａ）の回動方向に向ける前面を傾斜を付した傾斜切り刃（１）とし頂面を後方に傾斜せしめた傾斜面（２）とした金属刈刃（Ｂ）を、任意等間隔に複数個固定したことを特徴とするＶベルト草刈刃。
【請求項２】
楕円回動せしめるＶベルト（Ａ）を掛合する起動プーリー（Ｅ）と従動プーリー（Ｆ）の、何れかの軸受け支点の角度を変えることにより、ベルトにねじれを与えて草木等の角度刈りを可能とした請求項１記載のＶベルト草刈刃。
【考案の詳細な説明】
【技術分野】
【０００１】  本考案は、Ｖベルト（Ａ）の外表面に、前面に傾斜切り刃（１）を有する金属刈刃（Ｂ）を、任意等間隔に、複数個固定した特徴を有するＶベルト草刈刃に関する。
【背景技術】
【０００２】  従来、携帯型草刈り機の草刈刃は、円盤丸鋸が一般的である。又、回転盤とナイロン糸刃の組み合わせからなる草刈刃も普及しつつある。（例えば、特許文献１参照）
【特許文献１】特開２００６−１６６８９０号
【０００３】  作業姿勢に配慮された発明も、バリカン式など提案されている。（例えば、特許文献２，許文献３参照）
【特許文献２】特開２００１−８５１６号
【特許文献３】特開平１０−２４３７１６号
【０００４】  更には、人気のある自走型畦草刈り機も提案されている。（例えば、特許文献４参照）
【特許文献４】特開２００１−３７３１２号
【考案の開示】
【考案が解決しようとする課題】
【０００５】  特許文献１のナイロン糸刃は、刃先の研磨不要という便利な反面、丸鋸刃より価格が高く、更に、回転運動が高速なため、石ころ等の飛散事故等に配慮しながらの作業が強いられる。【０００６】  特許文献２のバリカン式の草刈り刃は、擦り合わせ加減が切れ味を左右することは云うまでもないが、一般的には、刈り取る草の根もと付近に付着した土等をも刈り挟むため、刃先の摩耗が激しく、細くて柔らかい草等が刈り残る問題点がある。【０００７】  特許文献４の自走型畦草刈り機は、通常、鋼製１枚刃又は、上下２枚に重ね合わせた板状の刈り刃を有し、プロペラ式の回転運動で草を刈り取る機械であるが、草を刈ると云う表現よりは、むしろ、草を粉砕する設計構造に重点を置いたものと云える。従って、このロータリーモアは、草を粉砕する構造上、特に背丈の伸びた草刈りに不向きであり、それを解消するには、更に、大きな動力源が要求され、それに伴う機体重量が増大して女性や老人には不向きとなる問題点がある。
【課題を解決するための手段】
【０００８】  本考案は、Ｖベルト（Ａ）の外表面に、当該Ｖベルト（Ａ）の回動方向に向ける前面を傾斜を付した傾斜切り刃（１）とし、頂面を後方に傾斜せしめた傾斜面（２）とした金属刈刃（Ｂ）の基台（３）を、任意等間隔に複数個固定したことを特徴とし、金属刈刃（Ｂ）の傾斜切り刃（１）の傾斜の向きを一つ置きに左右に振り変えて固定するＶベルト草刈刃の構成としたものである。【０００９】  本考案の、傾斜切り刃（１）の傾斜の向きの配列は、鋸刃状に１枚置きに同形に装着したが、使い勝手上、すべて同一片刃を取り付けても良い。
【考案の効果】
【００１０】  本考案の目的は、草刈りの重労働からの解放であるが、本体がゴムからなる軽量のＶベルトとした草刈り刃であるから、軽量で作業性の良い目的は達成された効果と共に、Ｖベルト（Ａ）は起動プーリー（Ｅ）と従動プーリー（Ｆ）に単に掛合するのみであるから、構造簡単で装着も容易で、騒音，振動軽微、注油不要で、起動プーリーの回転方向に拘らずベルトの掛け替えのみで刈り払い作業が可能となる効果がある。【００１１】  金属刈刃は、草木の繁茂状況に応じ、大小を選択し、又は、刈刃の数を増減して最良の切れ味とする効果も期待出来る。【００１２】  起動プーリー（Ｅ）か従動プーリー（Ｆ）の軸受け角度を変えることで、ベルトの弾性を利用した草木等の角度刈りが出来、畦畔等の平面，法面の同時刈りが可能である効果もあり、草木等の刈り込み方向に添う様、動力源の任意角度に本考案ベルトを装着することにより三次元への使い勝手な作業をも可能となる効果も得た。
【考案を実施するための最良の形態】
【００１３】  本考案は、Ｖベルト（Ａ）の外表面に、当該Ｖベルト（Ａ）の回動方向に向ける前面を傾斜を付した傾斜切り刃（１）とし、頂面を後方に傾斜せしめた傾斜面（２）とした金属刈刃（Ｂ）の基台（３）を、任意等間隔に複数個固定したことを特徴としたものである。【００１４】  本考案は、構造簡単で起動プーリー（Ｅ）と従動プーリー（Ｆ）にＶベルト（Ａ）を掛けるのみで装着容易であり、小型軽量で、草刈り作業の重労働から解放される。【００１５】  金属刈刃（Ｂ）は、傾斜切り刃（１）の傾斜の向きを一つ置きに左右に振り変えて、相隣る刃は木材切削鋸刃と同様目振り成形加工して固定するものであり、従って、草木を切断する刃先の切り込み角度の刃の先端は、順次反対方向に目振り成形されているから、刈刃は、立木等を切り倒すチェーンソーの刃並び同様に、１枚飛びが同型角度となり、隣り合う草木刈刃の切り込み角度は、当然ながら反対向きの角度を有する草木刈刃を装着せしめたことになる。【００１６】  従って、刈刃は、草木を倒すことなく草間に分け入り刈取り効果を著しく高めると共に、起動プーリー（Ｅ）か従動プーリー（Ｆ）の軸受け角度を変える事で、草木等の角度刈りと畦畔の平面，法面の同時刈り払いが可能になるものである。【００１７】  金属刈刃（Ｂ）は、使い勝手上すべて同一向き取り付けても良い。
【図面の簡単な説明】
【００１８】
【図１】本考案の要部側面図である。
【図２】本考案の要部平面図である。
【図３】本考案金属切刃の正面図である。
【図４】携帯用に装着したＶベルト草刈刃平面図である。
【符号の説明】
【００１９】  １  傾斜切り刃
２  傾斜面
３  基台
Ａ  Ｖベルト
Ｂ  金属切刃
Ｅ  起動プーリー
Ｆ  従動プーリー
【図１】
0003126013.tif 000003
【図２】
0003126013.tif 000004
【図３】
0003126013.tif 000005
【図４】
0003126013.tif 000006
(57)【要約】      （修正有）【課題】通常の皿に料理を盛り付けすると、炒め物であれば油、また煮物類であれば汁が、料理された（または盛り付けされた）状態のまま食材と一体になっている。したがって、好み、タイエット中、塩分控えめ等々から、料理（盛り付け）時より油（または汁）を減らしたく（加減したく）とも、出来なかった。本考案は、盛り付けされた食材から油（または汁）を多少分離させて、自分の好みに合わせてより少ない油分（または汁分）の食材を食することが出来るような大皿を提供する。【解決手段】皿の底の形状を水平ではなく、中央部から縁に向かって若干の（約５％程度）傾斜をつける。【選択図】図１
0003126007.tif 000002
【実用新案登録請求の範囲】
【請求項１】
皿底の中央部が高く、周辺に向かって約５°の傾斜している大皿。
【考案の詳細な説明】
【技術分野】
【０００１】この考案は、煮物・炒め物・サラダ類など油類または汁類が食材と一体になっている料理や食べ物を、多人数で食する際に用いる大皿の形状に関する。
【背景技術】
【０００２】通常の皿は、底部が水平状になっている。
【考案の開示】
【考案が解決しようとする課題】
【０００３】通常の皿に料理を盛り付けすると、炒め物であれば油、また煮物類であれば汁が、料理された（または盛り付けされた）状態のまま食材と一体になっている。
したがって、好み、ダイエット中、塩分控えめ等々から、料理（盛り付け）時より油（または汁）を減らしたく（加減したく）とも、出来なかった。
そこで、この考案は、盛り付けされた食材から油（または汁）を多少分離させて、自分の好みに合わせてより少ない油分（または汁分）の食材を食することが出来るような大皿を提供することを課題とする。
【考案が解決しようとする手段】
【０００４】以上の課題を解決するために、第一考案は、大皿の底の形状を水平ではなく、中央部を高くして、周辺部に向けて約５％の傾斜をつけることである。
【考案の効果】
【０００５】この考案によれば、皿の底が中央部から周辺部に向かって斜めに傾斜していることによって、食材に付着している油（または汁）類が皿周辺部の方へ寄せられ集まってくる。したがって、好み、ダイエット中、塩分控えめ等々から、料理（盛り付け）時より油（または汁）を減らす（加減する）ことが可能となる。
【考案を実施するための最良の形態】
【０００６】この考案の一実施形態を、図１に示す。
皿の底が１（中央部）から２および３（周辺部）の方に約５％傾斜している。【０００７】「実施形態の効果」
この実施形態によれば、底の傾斜の働きで油類または汁類が底周辺部（２および３）の方に集まってくる。したがって、好み、ダイエット中、塩分控えめ等々から、料理（盛り付け）時より油（または汁）を減らす（加減する）ことが可能となる。
【図面の簡単な説明】
【０００８】
【０００９】
【図１】この考案の一実施形態を示す側面図・平面図である。
【符号の説明】
【００１０】１  皿底の最高部（中央部）
２  皿底の最深（低）部（周辺部）
３  皿底の最深（低）部（周辺部）
【図１】
0003126007.tif 000003
(57)【要約】【課題】  くまの形状の本体のぬいぐるみ内部に防災グッズを収納し、家のインテリアを損なうことなく置いておくことができるようにし、家の隅においやられることなく、地震や災害の際に取りに行くという行為を最小限に抑える。【解決手段】  本案件は上記目的を達成するため、くまのぬいぐるみの容姿とし、ぬいぐるみの背中に握り６と、取り外し可能なベルト５を装着し緊急時持ちやすくした。取り出し口２Ａはチャックにて開閉でき防災グッズを出し入れできる。腕に蓄光腕章７をつけることにより、暗闇でもすぐに見つかるようにした。【選択図】図１Ｂ
0003126008.tif 000002
【実用新案登録請求の範囲】
【請求項１】
くまの形状の本体をぬいぐるみとしてつくり、内部には防災グッズの収納部を有した防災グッズ収納用ぬいぐるみであって、前記収納部には防災グッズを出し入れ容易な取り出し口を有することを特徴とした、防災グッズ収納用ぬいぐるみ。
【考案の詳細な説明】
【産業上の利用分野】
【０００１】  本考案は、防災グッズ収納用ぬいぐるみに防災グッズを収納しておき、必要時はただちにその防災グッズの取り出し、また持ち出しが容易な、防災グッズ収納用ぬいぐるみに関するものである。
【背景技術】
【０００２】  従来一般に、防災グッズは、災害時に利用することが目的で、その他は見つかりやすい場所に保管しておくことが必要不可欠となる。しかし、現在の防災グッズでは、購入して家内のリビングや寝室に置くことがデザイン面から困難な状況にある。そのため、非常時に近くに置かれていないことから、持ち出すことが困難になる。
【考案の開示】
【考案が解決しようとする課題】
【０００３】  近年、地震や洪水などの自然災害が深刻な問題となっており、防災に関しての意識が高まってきている。しかし、現状では防災グッズの購入後、利用するというケースがほとんどない。その原因として、防災グッズを置く場所に問題がある。家のインテリアを損なうことなく、置いておける防災グッズがなく、家の隅においやられているため、地震の際に取りに行くという行為が必要となり、持ち出されることがなくなっている。
そこで、我々は家内のインテリアを損なうことなく、かつ収納保管し易く、そして必要なときはいつでも容易に取り出して使用できるような態勢にしておくことが、今後の課題とされるようになった。
本考案は、このような課題を解決することを目的とし、すぐにみつかり手の届くところに防災グッズを携帯しておく手段を考案する。
【課題を解決するための手段】
【０００４】  上記目的を達成するため、本考案は次のような、防災グッズ収納用ぬいぐるみを提供する。すなわち本考案は、くまの形状のぬいぐるみ内部に防災グッズ収納部を有し、防災グッズ収納用ぬいぐるみであって、前記収納部には防災グッズを出し入れ容易な取り出し口を有することを特徴とした、防災グッズ収納用ぬいぐるみである。
【作用】
【０００５】  上記構成において、防災グッズは、防災グッズ収納用ぬいぐるみの出し入れ可能な取り出し口から収納部に収納しておく。災害緊急時にはすぐに持ち出すことができ、中身を使用するときは、前記収納部の取り出し口から、防災グッズを取り出して使用する。
【実施例】
【０００６】  本考案の実施例について、以下、図面にしたがって本考案の構成が実際上どのように具体化されるかを、その作用とともに説明する。図１は、本考案の一実施例の説明図であり、そのうちの図１Ａは正面から見た説明図、図１Ｂは背面から見た説明図である。
図１Ａにおいて、１はくまのぬいぐるみの本体であり、この本体１の腹部付近は、点線で示すように内部防災グッズ収納部２が設けられている。また、このぬいぐるみの首にはリボン３がとりつけてある。前記腹部付近内部の防災グッズ収納部２には、防災に必要な物が複数個まとめて収納しておくことができる。次に図１Ｂにおいて、ぬいぐるみの本体１内部の、点線で示す防災グッズ収納部２の下部には、開閉自在のファスナー４がとりつけられている。このファスナー４は、前記防災グッズ収納部２の取り出し口２ａを構成している。この取り出し口２ａは、ぬいぐるみ本体１の背中上部から下部に向けてのラインに位置し、通常は目立たないようになっている。ぬいぐるみ本体を持ち運び易くするために、ショルダーベルト５がぬいぐるみの肩に取り付けられている。また、ハンドベルト６もぬいぐるみの肩に取り付けられており、これらにより、持ち運び易くしている。
暗いところでもぬいぐるみが発見できるようにぬいぐるみの腕には蓄光の腕章７が取り付けられている。くまのぬいぐるみは、一般に使われて親しみやすいものであるので、明るい雰囲気で保管することができ、またぬいぐるみとして使用することができる。
【考案の効果】
【０００７】  以上本考案によれば、くまの形状のぬいぐるみ内部に防災グッズの収納部を有し、防災グッズ収納用ぬいぐるみとしたので、家内のインテリアを損なうことなく、どこにでも置くことができる。
ぬいぐるみの収納部には、防災グッズを出し入れ容易な取り出し口を有するので、必要なときは簡単に防災グッズを取り出して使用することができ、災害時などに貢献することができる、などの効果がある。
図の説明
【図面の簡単な説明】
【０００８】
【図１】本考案の一実施例の説明図であり、そのうちの図１Ａは正面から見た説明図、図１Ｂは背面側から見た説明図である。
【符号の説明】
【０００９】１  本体
２  防災グッズ収納部
２ａ取り出し口
３  リボン
４  ファスナー
５  ショルダーベルト
６  ハンドベルト
７  蓄光腕章
【図１Ａ】
0003126008.tif 000003
【図１Ｂ】
0003126008.tif 000004
(57)【要約】      （修正有）【課題】携帯用電動工具の使用作業中、ビットやドリルビットの交換や取替えが容易でビット予備品，あるいは定量のネジ釘，替刃取替時の専用着脱工具等、の手元への確保が出来、専用着脱工具の紛失も生じる。【解決手段】携帯用電動工具側面の任意位置に永久磁石片を単数，あるいは複数設け、ビット，ドリルビット，定量のネジ釘，刃着脱工具等を磁石片に着脱して使用する。【選択図】図５
0003126005.tif 000002
【実用新案登録請求の範囲】
【請求項１】
携帯が可能な電動工具の側面部分の任意位置に永久磁石片を貼付した携帯電動工具。
【考案の詳細な説明】
【技術分野】
【０００１】  本考案は、電動工具に関する。
【背景技術】
【０００２】  従来のドリルやドリルドライバー，サンダー，丸鋸，ジクソー等の小型電動工具は持ち運びが容易であり、特に充電式ドライバー等の工具はコードが無いから電源を必要としないので、一般的に用いられている。
【考案の開示】
【考案が解決しようとする課題】
【０００３】  しかし、これら全ての携帯電動工具は、軸先や刃先等の刃の磨耗，消耗時に、刃の取り替え等の作業が発生する。【０００４】  この、刃等の取替え時には、ドライバーやドリルドライバーを除き、刃の着脱時には専用の緩締工具が必要であり、この時、緩締工具の紛失も多々生じる。【０００５】  そして、ドライバーのビット取替え時には、数種類のビットの確保が望まれる。【０００６】  また、作業の途中で下穴明け等の作業を行う場合、ドリルビットとドライバービットとを交換しなければならないが、この時、種類の異なるドリルビットの手元への確保が必要である。【０００７】  さらに、この電動ドライバーの使用時には、使用するネジ釘を手元に用意しなければならないから、常に釘箱等を携帯する必要がある。
【課題を解決するための手段】
【０００８】  本考案は、携帯が可能な電動工具側面部分の任意位置に永久磁石片を貼付して設けることで上記課題を解決する。
【実施例】
【０００９】  本考案の電動工具は、図１に示す従来の充電ドライバーの側面に、図２に示すように永久磁石片（１）が設けられている。【００１０】  また、図３に示す充電ドライバー側面の左右に複数の永久磁石片（１），（１）が設けられている。【００１１】  そして、図４の永久磁石片（１）の片面には粘着膜（２）が設けられ剥離紙（３）により保護され、この剥離紙（３）を剥がし粘着膜（２）の面を利用して電動ドライバーの側面に永久磁石片（１）を貼付して固定すると、図２に示す電動ドライバーの機能と全く同じである。【００１３】  この電動ドライバーは、図５に示すように、図３に示す電動ドライバーの一方の磁石片（１）に取替ビット（４）とドリルビット（５）が貼付けられ、他の一方の磁石片（１）には定量のネジ釘（６）が貼付けられている。【００１４】  図７に示す丸鋸の側面には磁石片（１）が貼付けて設けられ、この磁石片（１）の面には丸鋸刃取替用工具（７）が装着可能となっている。【００１５】  図７のサンダー電動工具の側面には磁石片（１）が貼付けて設けられ、サンダーの刃の取り替え時に使用する着脱工具（８）が装着可能となっている。【００１６】  図８のジクソー電動工具の上部側面には、板状の磁石片（１）が貼付けて設けられている。この磁石片（１）の面には、刃取替え時に使用するジクソー用着脱工具（９）やジグソー替刃（１０）の装着が可能となっている。
【考案の効果】
【００１７】  以上のように、請求項１により、電動ドライバーの側面に磁石片を設け、この磁石片に予備のビットや穴あけ用のドリルビット等を貼付けて使用すると、ビットやドリルビットの交換が容易である。
【００１８】  また、図５に示すように、電動ドライバー工具の両側面に設けた磁石片の片方にネジ釘を定量貼付し、他の片方にはビットやドリルビットを貼付して使用すると、従来のように作業中手元に釘箱や交換用のビット等を持ち歩く必要がなく、ビットやドリルビットの交換も手元でできる。
【００１９】  そして、図４の永久磁石片の剥離紙を剥がして粘着膜の面を利用し、従来の電動ドライバー等、電動工具の任意位置に貼り付けて使用すると、請求項１の機能と同じ電動工具の効果を奏する。
【００２０】  さらに、図７，図８，図９の丸鋸やサンダー，ジクソー等の、携帯が可能な工具側面の任意位置にそれぞれ磁石片を設けて磁石片に専用の刃着脱工具や刃の予備等を貼付けて使用すると、専用工具等が即使用でき、使用後は定位置の磁石片に貼付けて戻すことにより専用工具等の紛失も生じない。
【図面の簡単な説明】
【図１】    従来の携帯ドライバー斜視図
【図２】    永久磁石片設置の携帯ドライバー斜視図
【図３】    複数の永久磁石片設置の携帯ドライバー斜視図
【図４】    着脱装置付き永久磁石片装着例の斜視図
【図５】    装置付き携帯ドライバーの使用例の斜視図
【図６】    丸鋸への装着例の斜視図
【図７】    サンダーへの装着例の斜視図
【図８】    ジクソーへの装着例の斜視図
【符号の説明】
１・・永久磁石片            ２・・粘着膜            ３・・剥離紙
４・・取替えビット          ５・・ドリルビット      ６・・ネジ釘
７・・丸鋸刃着脱工具        ８・・サンダー刃着脱工具
９・・ジクソー用着脱工具    １０・・ジクソー用替刃
【図１】
0003126005.tif 000003
【図２】
0003126005.tif 000004
【図３】
0003126005.tif 000005
【図４】
0003126005.tif 000006
【図５】
0003126005.tif 000007
【図６】
0003126005.tif 000008
【図７】
0003126005.tif 000009
【図８】
0003126005.tif 000010
(57)【要約】      （修正有）【課題】従前の浄水器の効果に加え、さらにろ過材、氷を加え、多様なニーズに対応する浄水にすることにより、水道水を有効な使用に役立てる浄水器を提供する。【解決手段】密閉可能な容器に新たにＪＩＳ規格の水栓を付けたことにより、従前の浄水器の浄水に、備長炭などのろ過材、氷を加えてお好みの浄水を作るものである。【選択図】図１
0003126003.tif 000002
【実用新案登録請求の範囲】
【請求項１】
密閉可能な容器にＪＩＳ規格の水栓を付け、これを吐水口とし、同容器と台所の水栓とを分岐によりつなぐことにより、同容器自体を浄水器本体とすることに加え、市販の浄水器を同吐水口に設置できること特徴とする浄水器
【考案の詳細な説明】
【技術分野】
【０００１】  本考案は、密閉可能な容器にＪＩＳ規格の水栓を付けた、浄水器に関するものである。
【背景技術】
【０００２】  浄水器本体は付属のろ過材で浄水にしていた。
【考案の開示】
【考案が解決しようとする課題】
【０００３】  浄水に対するニーズは多種多様で、個別の嗜好には十分とはいえない。特に自分でろ過材を選びたいとしても、あるいは水を冷たくしたくても、これらに対応できる浄水器はない。また、今ある浄水器のろ過能力は維持したい。したがってＪＩＳ規格の水栓を密閉可能な容器に付けることにより前述の欠点を解決しようとするものである。
【課題を解決するための手段】
【０００４】  本考案は、密閉可能な容器にＪＩＳ規格の水栓を吐水口として設け、同容器に任意にろ過材氷を入れ、吐水口に従来の浄水器も同時に設置できることにより問題点を解決している。
【考案の効果】
【０００５】  上述の様に、本考案の密閉可能な容器自体が浄水器になるほか、従来の浄水器と一緒にすることにより多種多様な浄水に対するニーズに対応できるようになる。
【考案の実施するための最良の形態】
【０００６】  同容器の中に活性炭、備長炭などのろ過材、さらに氷を入れる。吐水口に各種浄水器、アルカリイオン整水器などを必要に応じて併用することにより、お好みの浄水にする。
【実施例】
【０００７】  以下、添付図面に従ってー実施例を説明するができる。１はＪＩＳ規格の水栓で本体に付ける、２は本体で圧力鍋をリメークした、３は台で本体を置く、４はホースで水栓と本体をつなぐ、５は切り替えコックで原水と浄水の切り替えをする。【０００８】  ２の本体は開閉できるので、ろ過材の出し入れ、煮沸消毒、交換が自在である。１の吐水口はＪＩＳ規格なので、市販のすべての浄水器を付けられる。【０００９】  本考案のー実施例上述の如き構成からなるものであるから、本体自体で浄水器として使用できることに加え、１の吐水口に市販の浄水器を付け、お好みの浄水を楽しむことができる。
【産業上の利用可能性】
【０００１０】  密閉可能な容器は、一般家庭にも、市場にもたくさんある。それらをリメークしもうひとつの利用が可能になることは資源の面からも有効と考える。また、新たにろ過材の需要も期待できる。環境に配慮した商品づくりの参考になる。
【図面の簡単な説明】
【０００１１】
【図１】  本考案の備長炭などのろ過材、氷を入れられる浄水器のー実施例を示す正面図である。
【図２】  本浄水器のー部切欠浄水器のー実施例を示す正面図である。
【符号の説明】
１  吐水口
２  本体
３  台
４  ホース
５  切り替えコック
６  ゴムパッキン
【図１】
0003126003.tif 000003
【図２】
0003126003.tif 000004
(57)【要約】【課題】不必要に小指部分から脱げ難い足袋付き靴下を提供する。【解決手段】上端側に足先挿入用開口部２を設けた脚体の脛部または踝部から踵部と甲部さらに足裏部にかけて筒状に編成した靴下本体１の爪先側に、親指袋３人差し指袋４と中指袋５のそれぞれを個々に編成し、さらに薬指と小指の２つ指を挿入する２本指袋６を編成した靴下。【選択図】図１
0003126009.tif 000002
【実用新案登録請求の範囲】
【請求項１】
上端側に足先挿入用開口部を設けた脚体の脛部または踝部から踝部と甲部さらに足裏部
にかけて筒状に編成した靴下本体の爪先側に、親指と人指し指と中指のそれぞれを個々に
挿入する指袋を編成し、さらに薬指と小指を挿入する二本指袋を編成した事を特徴とする
脱げ難い足指付き靴下。
【考案の詳細な説明】
【技術分野】
【０００１】
本考案は、電気器具を設置した場所まで電気を導く屋内配線工事あるいは家の中を改装
するリフォーム工事などの様に、屋内外を出入りする毎に靴を脱ぎまた履いて工事する場合に、足元の安全確保から着用される脱げ難い足指袋付き靴下に関するもの個々る。
【背景技術】
【０００２】
現場作業において事故や怪我に遭わない様に、作業者はヘルメットや安全靴を着用させ
また高所作業者にはさらに墜落防止用品を携帯させるなど、身の安全性に対し十分な配慮が求められている。また安全靴やその他の作業靴を長時間履いた場合、足指の皮膚同士の密着から発汗を促し、足が蒸れて悪臭を放つ。特に皮膚の弱い人や夏場に多くの汗をかく人は、足指の指腹からその付け根の股部分に水虫などの皮膚病に冒される衛生上の問題もあった。そこで開発されたのが、指付き靴下である。例えば実開平６−３３９０７号公報は「踵の上部から足の甲にかけて大きく開口した吸湿性布の足袋上本体の先端に、足指の各々を独立的に挿入する指袋部に分割された足指被覆部を形成し、前記開口部分の縁に沿って弾性帯を設けた指付き靴下」、実用新案登録第３０４８４５２号公報は「編み針を順次減らして編成した親指部と適量の編み針で編成した四つ指部との間の隣接部分を３〜２０本の編み針で指股部を編成した、指先部でゴロつき感や窮屈感のない足袋状指付き靴下」、特開平８−１２７９０２号公報は要旨を要約して「五つに分割した指袋を消臭繊維で編成した消臭機能を有する指付き靴下」、さらには特開平１０−３７０４８号公報や実用新案登録３０８２７０３号公報などの指付き靴下もある。何れの靴下も個々の足指を分離して指袋で包み込むため、発汗の吸湿性もよく、蒸れて悪臭を放つ事も改善される。
【特許文献１】実開平６−３３９０７号公報
【特許文献２】実用新案登録第３０４８４５２号公報
【特許文献３】特開平８−１２７９０２号公報
【特許文献４】特開平１０−３７０４８号公報
【特許文献５】実用新案登録第３０８２７０３号公報
【考案の開示】
【考案が解決しようとする課題】
【０００３】
しかしながら、これまでの指付き靴下は、靴を途中脱ぐ事もなく長時間履き続ける作業現場において特に問題を感じる事もないが、電気工事の屋内配線作業やリフォーム工事の屋内改装作業において、屋内外を出入りする毎に靴を脱ぎまた履く作動を頻繁に繰り返すため、小指部分から脱げてしまう、また小指部分でごわばる問題があった。
【０００４】
本考案者は、上記した問題を解消する事を目的に指付き靴下が小指部分から何故脱げ易いのかその理由について調査したところ、上記した実開平６−３３９０７号公報や特開平１０−３７０４８号公報などに掲載する図面から明らかな様に、親指の付け根位置と小指付け根位置の差が小さいため小指側から脱げ易い構造に編成されている事。またその差があっても小指の指袋挿入深さが浅いため、靴を脱ぐ過程で、その分小指側から脱げ易い事を知見した。この知見を基に種々検討した結果、足の親指と人差し指と中指をそれぞれ個々に挿入する袋と、薬指と小指の一緒に挿入する２本指袋に編成する事によって、本考案の目的が達成できる指付き靴下を考案した。
【課題を解決するための手段】
【０００５】
本考案の趣旨とは、上端側に足先挿入用開口部を設けた脚体の脛部または踝部から踵部と甲部さらに足裏部にかけて筒状に編成した靴下本体の爪先側に、親指と人差し指と中指のそれぞれを個々に挿入する指袋を編成し、さらに薬指と小指を挿入する２本指袋を編成した脱げ難い足指袋付き靴下である。
【考案の効果】
【０００６】
本考案の足指袋付き靴下は、不必要に脱げに難く、本来指付き靴下が保有する発汗の吸湿性を促進し悪臭防止効果を失う事がないため、靴を脱ぎまた履く動作を頻繁に行う作業現場においては足元の安全性を確保する。
【考案を実施するための最良の形態】
【０００７】
以下、本考案について、図面を参照しながら詳細に説明する。
図１は、本考案の一実施例で、外観斜視図を示す。１は靴下本体を示す。靴下本体１は、上端側に足先挿入用開口部２を設けた脚体の脛部または踝部から踵部と甲部さらに足裏部にかけて筒状に編成したものである。また靴下本体１の爪先側には親指袋３と人差し指袋４と中指袋５のそれぞれを個々に編成し、さらに薬指と小指の２つの指を一つの指袋に挿入する２本指袋６で編成されている。すなわち、本考案は、靴下本体１の爪先側に親指と人差し指と中指のそれぞれを個々に挿入する指袋の３個と、薬指と小指の２つ指を挿入する２本指袋の１個から構成されている。特に本考案においては、薬指と小指の２つの指を同じ指袋に挿入して靴下を履いた場合、中指袋５と２本指袋６が中指と薬指の間に挟み込まれ同時に２本指袋６が薬指と小指の２つの指に纏わりつく為、靴下が不必要に脱げ難くなる。また本考案の足指袋付き靴下は綿や合成繊維の他に消臭繊維などを使用し編成してもよく、使用する繊維については特に限定するものではない。また本考案の足指袋付き靴下においては、足先挿入用開口部２が脚体の頸部または踝部で強く保持する様に、拡縮自在な編成方法や弾性材料のゴムなどを編成してもよい。
【０００８】
上記の様な本考案の足指袋付き靴下は、従来の指付き靴下と同じ様に履いて使用されるが、靴を頻繁に脱いでも靴下まで脱げる事がなく、足元の安全性が完全に確保できる。
【産業上の利用可能性】
【０００９】
本考案の足指袋付き靴下は、本来指付き靴下が保有する特性を損なう事なく、必要以上に脱げ難いため、靴の着脱を頻繁に行う作業においては今後利用される可能性が高い。
【図面の簡単な説明】
【００１０】
【図１】本考案の一実例で、外観斜視図を示す。
【符号の説明】
【００１１】
１  靴下本体
２  足先挿入用開口部
３  親指袋
４  人差し指袋
５  中指袋
６  ２本指袋
【図１】
0003126009.tif 000003
(57)【要約】【課題】印鑑の使用者が印鑑の装飾品を別の装飾品と容易に付け替えることができ、従って、販売者が付け替え用の装飾品を販売することができるようにした印鑑を提供する。【解決手段】印材１にくびれ部５を形成し、紐状体７を備えた装飾品９における該紐状体７を該くびれ部５に付け替え自在に遊嵌したことを特徴とする印鑑。装飾品９は、例えば、ダイアモンド、ルビー、水晶等の宝石１１又はその模造品を紐状体７に取り付けてなるものである。装飾品９の紐状体７は、くびれ部５に埋設、接着等により固定するものではなく、印材１のくびれ部５に付け替え自在に遊嵌されるものである。紐状体７は、印材１に対し水平方向に回動自在であるが、くびれ部５から落下することはない。【選択図】図１
0003126044.tif 000002
【実用新案登録請求の範囲】
【請求項１】
印材にくびれ部を形成し、紐状体を備えた装飾品における該紐状体を該くびれ部に付け替え自在に遊嵌したことを特徴とする印鑑。
【考案の詳細な説明】
【技術分野】
【０００１】
本考案は、印鑑に関するものであり、特に印材に装飾品を取り付けてなる印鑑に係るものである。
【背景技術】
【０００２】
実用新案登録第３１１３８９３号公報は、印材の把持部に凹部を設け、該凹部に装飾品の少なくとも一部を埋設してなる印鑑（以下「従来の印鑑」という。）を開示している。
【特許文献１】実用新案登録第３１１３８９３号公報
【考案の開示】
【考案が解決しようとする課題】
【０００３】
上記従来の印鑑においては、印材の把持部に形成した凹部に装飾品の少なくとも一部を埋設しているため、印鑑の使用者が印鑑の装飾品を別の装飾品と付け替えることは困難であり、従って、販売者が付け替え用の装飾品を販売することもできない。
【０００４】
本考案は、上記従来の印鑑における上述の如き問題を解決し、印鑑の使用者が印鑑の装飾品を別の装飾品と容易に付け替えることができ、従って、販売者が付け替え用の装飾品を販売することができるようにした印鑑を提供しようとしてなされたものである。
【課題を解決するための手段】
【０００５】
上記課題を解決するために、本考案は、下記の印鑑を提供する。
【０００６】
印材にくびれ部を形成し、紐状体を備えた装飾品における該紐状体を該くびれ部に付け替え自在に遊嵌したことを特徴とする印鑑。
【０００７】
本考案における「紐状体」には、ビーズを連結してなるもの、チェーン、ワイヤ、紐、糸、リング等が含まれるが、材料の如何を問わない。
【考案の効果】
【０００８】
装飾品はその紐状体を印材のくびれ部に付け替え自在に遊嵌したものであるため、印鑑の使用者が印鑑に付いている装飾品を別の所望の装飾品と容易に付け替えることができる。
【０００９】
従って、販売者は付け替え用の装飾品を販売することができる。また、印鑑を複数個の装飾品と共に販売することもできる。
【考案を実施するための最良の形態】
【００１０】
符号１に示すものは印材である。
【００１１】
印材１は、材料の如何を問わないが、例えば水牛の角、象牙、合成樹脂等により形成される。
【００１２】
印材１の下面３には、印鑑の購入者の依頼によりその氏名、氏、名、名称等（図示せず。）が彫刻される。
【００１３】
しかして、本考案においては、印材１にくびれ部５を形成する。
【００１４】
くびれ部５は、印材１における好ましくは上部に形成される。
【００１５】
印材１のくびれ部５には紐状体７を備えた装飾品９における該紐状体７を付け替え自在に遊嵌する。
【００１６】
装飾品９は、例えば、ダイアモンド、ルビー、水晶等の宝石１１又はその模造品を紐状体７に取り付けてなるものである。
【００１７】
図１に示す紐状体７は、ビーズ７ａを一例として糸により連結してなるものである。
【００１８】
図２、図３に示す紐状体７は、紐である。
【００１９】
装飾品９の紐状体７は、印材１のくびれ部５に埋設、接着等により固定するものではなく、印材１のくびれ部５に付け替え自在に遊嵌されるものである。紐状体７は、印材１に対し水平方向に回動自在であるが、くびれ部５から落下することはない。
【図面の簡単な説明】
【００２０】
【図１】本考案による印鑑の一例を示す斜視図である。
【図２】本考案による印鑑の別の一例を示す斜視図である。
【図３】本考案による印鑑の更に別の一例を示す断面図である。
【符号の説明】
【００２１】
１  印材
３  下面
５  くびれ部
７  紐状体
７ａ  ビーズ
９  装飾品
１１  宝石
【図１】
0003126044.tif 000003
【図２】
0003126044.tif 000004
【図３】
0003126044.tif 000005
(57)【要約】【課題】ばね定数の異なるリターンスプリング使用時のセット荷重のばらつきを低減することができる、キャンセラのリターンスプリングのセット荷重調整構造を提供すること。【解決手段】作動ピストン６０を戻すためのリターンスプリング５０が内蔵されインナードラム３０に対して固定されるキャンセラ２０において、インナードラム３０に雄ねじ部３０Ａが設けられ、キャンセラ２０に設けられた雌ねじ部又は雌ねじ部を設けた抜け止めストッパ４０を雄ねじ部３０Ａにねじ込むことにより、リターンスプリング５０のセット荷重を調整可能とした。【選択図】図１
0003126036.tif 000002
【実用新案登録請求の範囲】
【請求項１】
作動ピストンを戻すためのリターンスプリングが内蔵されインナードラムに対して固定されるキャンセラにおいて、
前記インナードラムに雄ねじ部が設けられ、
前記キャンセラに設けられた雌ねじ部又は雌ねじ部を設けた抜け止めストッパを前記雄ねじ部にねじ込むことにより、
前記リターンスプリングのセット荷重を調整可能としたことを特徴とする、  キャンセラのリターンスプリングのセット荷重調整構造。
【請求項２】
ねじロック剤の塗付又はかしめにより緩み止めが施される、請求項１のキャンセラのリターンスプリングのセット荷重調整構造。
【考案の詳細な説明】
【技術分野】
【０００１】
本考案は、湿式クラッチのキャンセラのリターンスプリングのセット荷重を調整可能にするための構造に関する。
【背景技術】
【０００２】
湿式クラッチにおいては、クラッチの解除時に、作動ピストンを戻すためのリターンスプリングが必要とされるが、その一例として、特許文献１のクラッチの場合がある。
【特許文献１】特開２００２−０３１２１７
【０００３】
特許文献１のクラッチにおいて、キャンセラのリターンスプリングのセット荷重は、図３のような設定構造１００によって設定される。
図３において、符号２００はキャンセラ、３００はインナードラム、４００はスナップリング、４１０はスナップリング溝、５００はリターンスプリング、６００は第２クラッチの作動ピストンである。
【考案の開示】
【考案が解決しようとする課題】
【０００４】
上述のリターンスプリングのセット荷重設定構造では、リターンスプリング５００のセット荷重は、結局、各部品の精度により決定されることになるため、リターンスプリング５００が高いばね定数を有し、スプリングセット荷重が高い場合には、部品の精度のばらつきにより、スプリングセット力が狙いから大きく外れる可能性があった。
【０００５】
そこで、本考案は、ばね定数の異なるリターンスプリング使用時のセット荷重のばらつきを低減することができる構造を提供することを目的とする。
【課題を解決するための手段】
【０００６】
本考案は、作動ピストンを戻すためのリターンスプリングが内蔵されインナードラムに対して固定されるキャンセラにおいて、
前記インナードラムに雄ねじ部が設けられ、
前記キャンセラに設けられた雌ねじ部又は雌ねじ部を設けた抜け止めストッパを前記雄ねじ部にねじ込むことにより、
前記リターンスプリングのセット荷重を調整可能としたことを特徴とする、  キャンセラのリターンスプリングのセット荷重調整構造により、前記課題を解決した。
このリターンスプリングのセット荷重調整構造においては、ねじロック剤の塗付又はかしめによりねじの緩み止めが施されるのが望ましい。
【考案の効果】
【０００７】
本考案によれば、リターンスプリングのばね定数が大きく、スプリングセット荷重が高い場合でも、リターンスプリングのセット荷重のばらつきを低減させ、適切な荷重に設定することができる。
【考案を実施するための最良の形態】
【０００８】
以下、本考案の実施形態を説明する。
図１は第１実施形態の要部断面図、図２は図１の拡大図である。なお、コイルばねからなるリターンスプリングについては簡略な表示にしてある。
【第１実施形態】
【０００９】
この第１実施形態では、インナードラム３０に雄ねじ部３０Ａを具え、雌ねじ部を設けた抜け止めスペーサ４０を右側からねじ込むことにより、キャンセラ２０を締付け、間接的にリターンスプリング５０のセット荷重を調整する。具体的には、図示しないセット荷重測定器によりリターンスプリング５０のセット荷重を測定し、目標荷重が発生した位置で、抜け止めスペーサ４０を止め、キャンセラ２０の位置を定める。符号６０は、作動ピストンである。
抜け止めスペーサ４０の雌ねじ部は、エンジンの回転方向に対して逆方向のねじ山とし、設定位置が定められたら、緩まないように、ねじロック剤の塗付又はかしめを施し、緩み止めとする。
【第２実施形態】
【００１０】
第１実施形態では、抜け止めスペーサ４０により、キャンセラ２０を固定しているが、第２実施形態では、インナードラム３０に雄ねじ部３０Ａを、一方、キャンセラ２０自体に雌ねじ部（図示せず。）を設け、キャンセラ２０自体を、雄ねじ部３０Ａに、リターンスプリング５０のセット荷重を測定しながらねじ込み、目標荷重の位置で停止させることにより、リターンスプリング５０のセット荷重を設定するようにした。このようにすると、抜け止めスペーサ４０が不要となり、部品点数が少なくてすむ。
【００１１】
この場合も、第１実施形態と同様、キャンセラ２０の前記雌ねじ部は回転方向と逆方向のねじ山を有しており、緩み止めのために、かしめ又はねじロック剤の塗付を行う。
【００１２】
以上のように、本考案によれば、ばね定数の異なるリターンスプリング使用時でも、リターンスプリングセット荷重のばらつきを低減させ、適切なセット荷重に設定することができる。
なお、本考案は、通常のクラッチパック構造にも適用可能である。
【図面の簡単な説明】
【００１３】
【図１】第１実施形態のキャンセラのリターンスプリングのセット荷重調整構造の断面図。
【図２】第１実施形態のキャンセラのリターンスプリングのセット荷重調整構造の要部拡大図。
【図３】従来のキャンセラのリターンスプリングのセット荷重調整構造の断面図。
【符号の説明】
【００１４】
１０：キャンセラのリターンスプリングのセット荷重調整構造
２０：キャンセラ
３０：インナードラム
４０：抜け止めスペーサ
５０：リターンスプリング
６０：作動ピストン
【図１】
0003126036.tif 000003
【図２】
0003126036.tif 000004
【図３】
0003126036.tif 000005